(57)【要約】【課題】本発明はロゴ制御部及びロゴの制御方法に関する。【解決手段】本発明のロゴ制御部は、複数の映像フレームに基づいて上記複数の映像フレームに共通して含まれたロゴ領域を検出するロゴ領域検出部と、上記ロゴ領域を基準として拡張されたロゴ周辺領域を設定するロゴ周辺領域設定部と、少なくとも１つの映像フレームの階調値に基づいて表示負荷値を算出し、上記ロゴ周辺領域の階調値に基づいたロゴ周辺領域の代表値と上記表示負荷値の差が第１基準値を超えるか否かを判断する表示負荷判断部と、上記ロゴ周辺領域の代表値と上記表示負荷値の差が上記第１基準値を超えており、上記ロゴ領域の階調値に基づいたロゴ領域の代表値と上記ロゴ周辺領域の階調値に基づいたロゴ領域のしきい値の差が第２基準値以下である場合、上記ロゴ周辺領域の階調値のうち少なくとも一部を減少させるロゴ周辺領域補正部と、を含む。【選択図】図７
2020038339.tif 000002
【特許請求の範囲】
【請求項１】
複数の第１映像フレームに基づいて前記複数の第１映像フレームに共通して含まれたロゴ領域を検出するロゴ領域検出部と、
前記ロゴ領域を基準として拡張されたロゴ周辺領域を設定するロゴ周辺領域設定部と、
少なくとも１つの第１映像フレームの階調値に基づいて表示負荷値を算出し、前記ロゴ周辺領域の階調値に基づいたロゴ周辺領域の代表値と前記表示負荷値の差が第１基準値を超えるか否かを判断する表示負荷判断部と、
前記ロゴ周辺領域の代表値と前記表示負荷値の差が前記第１基準値を超えており、前記ロゴ領域の階調値に基づいたロゴ領域の代表値と前記ロゴ周辺領域の階調値に基づいた第１ロゴ領域のしきい値の差が第２基準値以下である場合、前記ロゴ周辺領域の階調値のうち少なくとも一部を減少させて第２映像フレームを生成するロゴ周辺領域補正部と、を含むことを特徴とするロゴ制御部。
【請求項２】
前記第１映像フレームの前記ロゴ周辺領域の階調値に基づいて前記第１ロゴ領域のしきい値を設定する第１ロゴ領域のしきい値設定部をさらに含むことを特徴とする請求項１に記載のロゴ制御部。
【請求項３】
前記第１ロゴ領域のしきい値設定部は
前記第１映像フレームの前記ロゴ周辺領域の階調値の第１平均値を算出する第１平均値算出部と、
前記第１平均値にマージン値を加算して前記第１ロゴ領域のしきい値を算出するマージン値加算部と、含み、
前記ロゴ周辺領域の代表値は第１平均値と対応することを特徴とする請求項２に記載のロゴ制御部。
【請求項４】
前記表示負荷判断部は、
前記少なくとも１つの第１映像フレームの階調値の第２平均値を算出する第２平均値算出部と、
前記第１平均値と前記第２平均値の差が前記第１基準値を超えるか否かを判断する第１比較部と、を含み、
前記表示負荷値は前記第２平均値と対応することを特徴とする請求項３に記載のロゴ制御部。
【請求項５】
前記ロゴ周辺領域補正部は、前記第１映像フレームの前記ロゴ領域の階調値の第３平均値を算出する第３平均値算出部を含み、
前記ロゴ領域の代表値は前記第３平均値と対応することを特徴とする請求項４に記載のロゴ制御部。
【請求項６】
前記ロゴ周辺領域補正部は、
前記第３平均値と前記第１ロゴ領域のしきい値の差が前記第２基準値以下であるか否かを比較する第２比較部と、
前記第３平均値と前記第１ロゴ領域のしきい値の差が前記第２基準値以下である場合、前記ロゴ周辺領域のサブ領域のそれぞれに対する階調値をサブ領域のしきい値以下に制限する第１マッピングカーブ（ｍａｐｐｉｎｇ  ｃｕｒｖｅｓ）を算出するロゴ周辺領域カーブ算出部と、
前記第１マッピングカーブに基づいて前記第１映像フレームの前記サブ領域の階調値のうち少なくとも一部を減少させて前記第２映像フレームを生成する第２映像フレーム生成部と、をさらに含むことを特徴とする請求項５に記載のロゴ制御部。
【請求項７】
前記サブ領域のしきい値は、対応する前記サブ領域が前記ロゴ領域に近いほど減少することを特徴とする請求項６に記載のロゴ制御部。
【請求項８】
前記サブ領域のしきい値は、前記第１ロゴ領域のしきい値より大きいかまたは同一であることを特徴とする請求項７に記載のロゴ制御部。
【請求項９】
前記第２映像フレームの前記ロゴ周辺領域の階調値に基づいて第２ロゴ領域のしきい値を設定する第２ロゴ領域のしきい値設定部と、
前記第２映像フレームの前記ロゴ領域の階調値を前記第２ロゴ領域のしきい値以下に補正するロゴ領域補正部と、をさらに含むことを特徴とする請求項６に記載のロゴ制御部。
【請求項１０】
前記ロゴ領域補正部は、
前記第２映像フレームの前記ロゴ領域の階調値を前記第２ロゴ領域のしきい値以下に制限する第２マッピングカーブを算出するロゴ領域カーブ算出部と、
前記第２マッピングカーブに基づいて前記第２映像フレームの前記ロゴ領域の階調値のうち少なくとも一部を減少させて第３映像フレームを生成する第３映像フレーム生成部と、を含み、
前記ロゴ領域検出部は、
前記複数の第１映像フレームに共通して含まれた高階調領域を検出する高階調領域検出部と、
前記複数の第１映像フレームに共通して含まれた静止領域を検出する静止領域検出部と、
前記複数の第１映像フレームに共通して含まれたエッジ領域を検出するエッジ領域検出部と、
前記高階調領域、前記静止領域、及び前記エッジ領域の重畳された領域を前記ロゴ領域として検出する重畳領域抽出部と、を含むことを特徴とする請求項９に記載のロゴ制御部。
【発明の詳細な説明】
【技術分野】
【０００１】
本発明はロゴ制御部及びロゴの制御方法に関する。
【背景技術】
【０００２】
情報化技術が発達するにつれて、ユーザーと情報間の連結媒体である表示装置の重要性が浮き彫りになっている。これに応じて液晶表示装置（Ｌｉｑｕｉｄ  Ｃｒｙｓｔａｌ  Ｄｉｓｐｌａｙ  Ｄｅｖｉｃｅ）、有機発光表示装置（Ｏｒｇａｎｉｃ  Ｌｉｇｈｔ  Ｅｍｉｔｔｉｎｇ  Ｄｉｓｐｌａｙ  Ｄｅｖｉｃｅ）、プラズマ表示装置（Ｐｌａｓｍａ  Ｄｉｓｐｌａｙ  Ｄｅｖｉｃｅ）などの表示装置の使用が増加している。
【０００３】
有機発光表示装置は、複数の画素を含み、映像フレームを構成する複数の階調値に対応するように複数の画素の有機発光ダイオードを発光させることで、映像フレームを表示することができる。
【０００４】
映像フレームが共通の特定領域にロゴ（ｌｏｇｏ）を含む場合、特定領域の有機発光ダイオードは、ロゴを表示するために高輝度で発光し続けなければならない。従って、特定領域の有機発光ダイオードは、他の領域の有機発光ダイオードよりも速く劣化するという問題がある。
【先行技術文献】
【特許文献】
【０００５】
【特許文献１】韓国特許出願公開第２０１６／００９５６７３号明細書
【特許文献２】韓国特許出願公開第２０１５／００４９８９５号明細書
【特許文献３】韓国特許出願公開第２０１６／００１９３４１号明細書
【特許文献４】韓国特許出願公開第２０１６／００７１８８６号明細書
【発明の概要】
【発明が解決しようとする課題】
【０００６】
本発明の解決しようとする技術的課題は、表示負荷に応じてロゴ領域及びロゴ周辺領域の階調値を調整することができるロゴ制御部及びロゴの制御方法を提供することである。
【課題を解決するための手段】
【０００７】
本発明の一実施形態によるロゴ制御部は、複数の第１映像フレームに基づいて上記複数の第１映像フレームに共通して含まれたロゴ領域を検出するロゴ領域検出部と、上記ロゴ領域を基準として拡張されたロゴ周辺領域を設定するロゴ周辺領域設定部と、少なくとも１つの第１映像フレームの階調値に基づいて表示負荷値を算出し、上記ロゴ周辺領域の階調値に基づいたロゴ周辺領域の代表値と上記表示負荷値の差が第１基準値を超えるか否かを判断する表示負荷判断部と、上記ロゴ周辺領域の代表値と上記表示負荷値の差が上記第１基準値を超えており、上記ロゴ領域の階調値に基づいたロゴ領域の代表値と上記ロゴ周辺領域の階調値に基づいた第１ロゴ領域のしきい値の差が第２基準値以下である場合、上記ロゴ周辺領域の階調値のうち少なくとも一部を減少させて第２映像フレームを生成するロゴ周辺領域補正部と、を含む。
【０００８】
上記ロゴ制御部は、上記第１映像フレームの上記ロゴ周辺領域の階調値に基づいて上記第１ロゴ領域のしきい値を設定する第１ロゴ領域のしきい値設定部をさらに含んでもよい。
【０００９】
上記第１ロゴ領域のしきい値設定部は、上記第１映像フレームの上記ロゴ周辺領域の階調値の第１平均値を算出する第１平均値算出部と、上記第１平均値にマージン値を加算して上記第１ロゴ領域のしきい値を算出するマージン値加算部と、を含み、上記ロゴ周辺領域の代表値は、第１平均値と対応することができる。
【００１０】
上記表示負荷判断部は、上記少なくとも１つの第１映像フレームの階調値の第２平均値を算出する第２平均値算出部と、上記第１平均値と上記第２平均値の差が上記第１基準値を超えるか否かを判断する第１比較部と、を含み、上記表示負荷値は、上記第２平均値と対応することができる。
【００１１】
上記ロゴ周辺領域補正部は、上記第１映像フレームの上記ロゴ領域の階調値の第３平均値を算出する第３平均値算出部を含み、上記ロゴ領域の代表値は、上記第３平均値と対応することができる。
【００１２】
上記ロゴ周辺領域補正部は、上記第３平均値と上記第１ロゴ領域のしきい値の差が上記第２基準値以下であるか否かを比較する第２比較部と、上記第３平均値と上記第１ロゴ領域のしきい値の差が上記第２基準値以下である場合、上記ロゴ周辺領域のサブ領域のそれぞれに対する階調値をサブ領域のしきい値以下に制限する第１マッピングカーブ（ｍａｐｐｉｎｇ  ｃｕｒｖｅｓ）を算出するロゴ周辺領域カーブ算出部と、上記第１マッピングカーブに基づいて上記第１映像フレームの上記サブ領域の階調値のうち少なくとも一部を減少させて上記第２映像フレームを生成する第２映像フレーム生成部と、をさらに含んでもよい。
【００１３】
上記サブ領域のしきい値は、対応する上記サブ領域が上記ロゴ領域に隣接するほど減少してもよい。
【００１４】
上記サブ領域のしきい値は、上記第１ロゴ領域のしきい値より大きいか、または同一であってもよい。
【００１５】
上記ロゴ制御部は、上記第２映像フレームの上記ロゴ周辺領域の階調値に基づいて第２ロゴ領域のしきい値を設定する第２ロゴ領域のしきい値設定部をさらに含んでもよい。
【００１６】
上記第２映像フレームの上記ロゴ領域の階調値を上記第２ロゴ領域のしきい値以下に補正するロゴ領域補正部をさらに含んでもよい。
【００１７】
上記ロゴ領域補正部は、上記第２映像フレームの上記ロゴ領域の階調値を上記第２ロゴ領域のしきい値以下に制限する第２マッピングカーブを算出するロゴ領域カーブ算出部と、上記第２マッピングカーブに基づいて上記第２映像フレームの上記ロゴ領域の階調値のうち少なくとも一部を減少させて第３映像フレームを生成する第３映像フレーム生成部と、を含んでもよい。
【００１８】
上記ロゴ領域検出部は、上記複数の第１映像フレームに共通して含まれた高階調領域を検出する高階調領域検出部と、上記複数の第１映像フレームに共通して含まれた静止領域を検出する静止領域検出部と、上記複数の第１映像フレームに共通して含まれたエッジ領域を検出するエッジ領域検出部と、上記高階調領域、上記静止領域、及び上記エッジ領域の重畳された領域を上記ロゴ領域として検出する重畳領域抽出部と、を含んでもよい。
【００１９】
本発明の一実施形態によるロゴ制御部は、複数の第１映像フレームに基づいて上記複数の第１映像フレームに共通して含まれたロゴを検出するロゴ検出部と、上記ロゴを基準として拡張されたロゴ周辺領域を設定するロゴ周辺領域設定部と、少なくとも１つの第１映像フレームの階調値に基づいて表示負荷値を算出し、上記ロゴ周辺領域の階調値に基づいたロゴ周辺領域の代表値と上記表示負荷値の差が第１基準値を超えるか否かを判断する表示負荷判断部と、上記ロゴ周辺領域の代表値と上記表示負荷値の差が上記第１基準値を超えており、上記ロゴの階調値に基づいたロゴ代表値と上記ロゴ周辺領域の階調値に基づいた第１ロゴのしきい値の差が第２基準値以下である場合、上記ロゴ周辺領域の階調値のうち少なくとも一部を減少させて第２映像フレームを生成するロゴ周辺領域補正部と、を含む。
【００２０】
上記ロゴ周辺領域設定部は、上記ロゴの外郭を複数の直線で取り囲むロゴ領域を設定するロゴ領域設定部と、上記ロゴ領域の外郭を予め決められた離隔距離値に応じて拡張させてロゴ周辺領域の外郭を設定する領域拡張部と、を含み、上記ロゴ周辺領域の内郭は、上記ロゴの外郭と対応してもよい。
【００２１】
上記ロゴ周辺領域補正部は、上記ロゴ代表値と上記第１ロゴのしきい値の差が上記第２基準値以下である場合、上記ロゴ周辺領域のサブ領域のそれぞれに対する階調値をサブ領域のしきい値以下に制限する第１マッピングカーブを算出するロゴ周辺領域カーブ算出部と、を含み、上記第１ロゴのしきい値は、上記サブ領域のしきい値の最小値より大きく、最大値より小さくてもよい。
【００２２】
本発明の一実施形態によるロゴの制御方法は、複数の第１映像フレームに基づいて上記複数の第１映像フレームに共通して含まれたロゴ領域を検出するロゴ領域検出段階と、上記ロゴ領域を基準として拡張されたロゴ周辺領域を設定するロゴ周辺領域設定段階と、少なくとも１つの第１映像フレームの階調値に基づいて表示負荷値を算出し、上記ロゴ周辺領域の階調値に基づいたロゴ周辺領域の代表値と上記表示負荷値の差が第１基準値を超えるか否かを判断する表示負荷判断段階と、上記ロゴ周辺領域の代表値と上記表示負荷値の差が上記第１基準値を超えており、上記ロゴ領域の階調値に基づいたロゴ領域の代表値と上記ロゴ周辺領域の階調値に基づいた第１ロゴ領域のしきい値の差が第２基準値以下である場合、上記ロゴ周辺領域の階調値のうち少なくとも一部を減少させて第２映像フレームを生成するロゴ周辺領域補正段階と、を含む。
【００２３】
上記表示負荷値は上記少なくとも１つの第１映像フレームの階調値の平均値に対応し、上記ロゴ周辺領域の代表値は上記第１映像フレームの上記ロゴ周辺領域の階調値の平均値に対応し、上記ロゴ領域の代表値は上記第１映像フレームの上記ロゴ領域の階調値の平均値に対応し、上記第１ロゴ領域のしきい値は上記第１映像フレームの上記ロゴ周辺領域の階調値の平均値にマージン値を加算した値に対応することができる。
【００２４】
上記ロゴ周辺領域補正段階は、上記ロゴ領域の代表値と上記第１ロゴ領域のしきい値の差が上記第２基準値以下である場合、上記ロゴ周辺領域のサブ領域のそれぞれに対する階調値をサブ領域のしきい値以下に制限する第１マッピングカーブを算出する段階と、上記第１マッピングカーブに基づいて上記第１映像フレームの上記サブ領域の階調値のうち少なくとも一部を減少させて上記第２映像フレームを生成する段階と、を含んでもよい。
【００２５】
上記ロゴの制御方法は、上記第２映像フレームの上記ロゴ周辺領域の階調値に基づいて第２ロゴ領域のしきい値を設定する段階をさらに含み、上記第２ロゴ領域のしきい値は、上記第１ロゴ領域のしきい値より小さいかまたは同一であってもよい。
【００２６】
上記ロゴの制御方法は、上記第２映像フレームの上記ロゴ領域の階調値を上記第２ロゴ領域のしきい値以下に制限する第２マッピングカーブを算出する段階と、上記第２マッピングカーブに基づいて上記第２映像フレームの上記ロゴ領域の階調値のうち少なくとも一部を減少させて第３映像フレームを生成する段階と、をさらに含んでもよい。
【発明の効果】
【００２７】
本発明によるロゴ制御部及びロゴの制御方法は、表示負荷に応じてロゴ領域及びロゴ周辺領域の階調値を調節することができる。
【図面の簡単な説明】
【００２８】
【図１】本発明の一実施形態による表示装置を説明するための図である。
【図２】本発明の一実施形態による画素を説明するための図である。
【図３】本発明の一実施形態による画素の駆動方法を説明するための図である。
【図４】本発明の他の実施形態による表示装置を説明するための図である。
【図５】本発明の他の実施形態による画素を説明するための図である。
【図６】本発明の他の実施形態による画素の駆動方法を説明するための図である。
【図７】本発明の一実施形態によるロゴ制御部を説明するための図である。
【図８】本発明の一実施形態によるロゴ領域検出部を説明するための図である。
【図９】本発明の一実施形態によるロゴ周辺領域設定部を説明するための図である。
【図１０】本発明の一実施形態によるロゴ周辺領域設定部を説明するための図である。
【図１１】本発明の一実施形態による第１ロゴ領域のしきい値設定部を説明するための図である。
【図１２】本発明の一実施形態による第１ロゴ領域のしきい値設定部を説明するための図である。
【図１３】本発明の一実施形態による表示負荷判断部を説明するための図である。
【図１４】本発明の一実施形態によるロゴ周辺領域補正部を説明するための図である。
【図１５】本発明の一実施形態によるロゴ周辺領域補正部を説明するための図である。
【図１６】本発明の一実施形態によるロゴ周辺領域補正部を説明するための図である。
【図１７】本発明の一実施形態によるロゴ領域補正部を説明するための図である。
【図１８】本発明の一実施形態によるロゴ領域補正部を説明するための図である。
【図１９】本発明の他の実施形態によるロゴ制御部を説明するための図である。
【図２０】本発明の他の実施形態によるロゴ周辺領域設定部を説明するための図である。
【図２１】本発明の他の実施形態によるロゴ周辺領域設定部を説明するための図である。
【図２２】本発明の他の実施形態によるロゴ周辺領域補正部を説明するための図である。
【図２３】本発明の他の実施形態によるロゴ周辺領域補正部を説明するための図である。
【図２４】本発明の他の実施形態によるロゴ周辺領域補正部を説明するための図である。
【発明を実施するための形態】
【００２９】
以下、添付した図面を参考して、本発明の様々な実施形態について本発明が属する技術分野で通常の知識を有する者が容易に実施できるように詳細に説明する。本発明は、様々な異なる形態で具現されてもよく、ここで説明する実施形態に限定されない。
【００３０】
本発明を明確に説明するために説明と関係のない部分は省略し、明細書の全体にわたって同一または類似する構成要素に対しては同じ参照符号を付する。従って、上述した参照符号は他の図面でも使用することができる。
【００３１】
また、図面に示された各構成の大きさ及び厚さは、説明の便宜のために任意に示したものであるため、本発明は必ずしも図示されたものに限定されない。図面において、複数の層及び領域を明確に表現するために厚さを誇張して示すことができる。
【００３２】
図１は、本発明の一実施形態による表示装置を説明するための図である。
【００３３】
図１を参照すると、本発明の一実施形態による表示装置１０は、タイミング制御部１１、データ駆動部１２、走査駆動部１３、発光駆動部１４、画素部１５、及びロゴ制御部１６を含んでもよい。
【００３４】
タイミング制御部１１は、データ駆動部１２の仕様（ｓｐｅｃｉｆｉｃａｔｉｏｎ）に適するように階調値及び制御信号をデータ駆動部１２に提供することができる。また、タイミング制御部１１は、走査駆動部１３の仕様に適するように、クロック信号、走査開始信号などを走査駆動部１３に提供することができる。また、タイミング制御部１１は、発光駆動部１４の仕様に適するように、クロック信号、発光停止信号などを発光駆動部１４に提供することができる。
【００３５】
データ駆動部１２は、タイミング制御部１１から受信した階調値及び制御信号を利用して、データ線Ｄ１、Ｄ２、Ｄ３、．．．、Ｄｎに提供するデータ電圧を生成することができる。例えば、データ駆動部１２は、クロック信号を利用して階調値をサンプリングし、階調値に対応するデータ電圧を画素行単位でデータ線Ｄ１〜Ｄｎに印加することができる。ｎは自然数であってもよい。
【００３６】
走査駆動部１３は、タイミング制御部１１からクロック信号、走査開始信号などを受信して走査線Ｓ１、Ｓ２、Ｓ３、．．．、Ｓｍに提供する走査信号を生成することができる。例えば、走査駆動部１３は、走査線Ｓ１〜Ｓｍに順にターンオンレベルのパルスを有する走査信号を提供することができる。例えば、走査駆動部１３は、シフトレジスタ（ｓｈｉｆｔ  ｒｅｇｉｓｔｅｒ）形態で構成されてもよく、クロック信号の制御に応じてターンオンレベルのパルス形態の走査開始信号を次のステージ回路に順に伝達する方式で走査信号を生成することができる。ｍは自然数であってもよい。
【００３７】
発光駆動部１４は、タイミング制御部１１からクロック信号、発光停止信号などを受信して発光線Ｅ１、Ｅ２、Ｅ３、．．．、Ｅｏに提供する発光信号を生成することができる。例えば、発光駆動部１４は、発光線Ｅ１〜Ｅｏに順にターンオフレベルのパルスを有する発光信号を提供することができる。例えば、発光駆動部１４は、シフトレジスタ形態で構成されてもよく、クロック信号の制御に応じてターンオフレベルのパルス形態の発光停止信号を次のステージ回路に順に伝達する方法で発光信号を生成することができる。ｏは自然数であってもよい。
【００３８】
画素部１５は画素を含む。それぞれの画素ＰＸｉｊは、対応するデータ線、走査線、及び発光線に接続されてもよい。ｉ及びｊは自然数であってもよい。画素ＰＸｉｊは、スキャントランジスタがｉ番目の走査線及びｊ番目のデータ線と接続された画素を意味することができる。
【００３９】
ロゴ制御部１６は、タイミング制御部１１から受信した映像フレームからロゴまたはロゴ領域を検出し、ロゴまたはロゴ領域に対応する階調値を補正することができる。実施形態によると、ロゴ制御部１６は、ロゴ周辺領域に対応する階調値を補正することもできる。ロゴ、ロゴ領域、ロゴ周辺領域に対する定義は、図７以下を参照して詳細に後述する。
【００４０】
実施形態によると、ロゴ制御部１６は、一部または全部がタイミング制御部１１と一体で構成されてもよい。例えば、ロゴ制御部１６の一部または全部がタイミング制御部１１とともに集積回路（ｉｎｔｅｇｒａｔｅｄ  ｃｉｒｃｕｉｔ）の形態で構成されてもよい。実施形態によると、ロゴ制御部１６は、一部または全部がタイミング制御部１１においてソフトウェア的に実現されてもよい。
【００４１】
図２は、本発明の一実施形態による画素を説明するための図である。
【００４２】
図２を参照すると、画素ＰＸｉｊはトランジスタＭ１、Ｍ２、Ｍ３、Ｍ４、Ｍ５、Ｍ６、Ｍ７と、ストレージキャパシタＣｓｔ１と、有機発光ダイオードＯＬＥＤ１と、を含んでもよい。
【００４３】
本実施形態において、トランジスタはＰ型トランジスタと図示されているが、当業者であれば、Ｎ型トランジスタで同じ機能をする画素回路を構成することができる。
【００４４】
ストレージキャパシタＣｓｔ１は、一電極が第１電源電圧線ＥＬＶＤＤに接続され、他の電極がトランジスタＭ１のゲート電極に接続されてもよい。
【００４５】
トランジスタＭ１は、一電極がトランジスタＭ５の他の電極に接続され、他の電極がトランジスタＭ６の一電極に接続され、ゲート電極がストレージキャパシタＣｓｔ１の他の電極に接続されてもよい。トランジスタＭ１を駆動トランジスタと名付けられてもよい。トランジスタＭ１は、ゲート電極とソース電極の電位差に応じて第１電源電圧線ＥＬＶＤＤと第２電源電圧線ＥＬＶＳＳの間に流れる駆動電流を決める。
【００４６】
トランジスタＭ２は、一電極がデータ線Ｄｊに接続され、他の電極がトランジスタＭ１の一電極に接続され、ゲート電極が現在の走査線Ｓｉに接続されてもよい。トランジスタＭ２をスイッチングトランジスタ、スキャントランジスタ、走査トランジスタなどと名付けられてもよい。トランジスタＭ２は、現在の走査線Ｓｉにターンオンレベルの走査信号が印加されると、データ線Ｄｊのデータ電圧を画素ＰＸｉｊに引き込ませる。
【００４７】
トランジスタＭ３は、一電極がトランジスタＭ１の他の電極に接続され、他の電極がトランジスタＭ１のゲート電極に接続され、ゲート電極が現在の走査線Ｓｉに接続される。トランジスタＭ３は、現在の走査線Ｓｉにターンオンレベルの走査信号が印加されると、トランジスタＭ１をダイオード状に接続させる。
【００４８】
トランジスタＭ４は、一電極がトランジスタＭ１のゲート電極に接続され、他の電極が初期化電圧線ＶＩＮＴに接続され、ゲート電極が前の走査線Ｓ（ｉ−１）に接続される。他の実施形態において、トランジスタＭ４のゲート電極は他の走査線に接続されてもよい。トランジスタＭ４は、前の走査線Ｓ（ｉ−１）にターンオンレベルの走査信号が印加されると、トランジスタＭ１のゲート電極に初期化電圧ＶＩＮＴを伝達し、トランジスタＭ１のゲート電極の電荷量を初期化させる。
【００４９】
トランジスタＭ５は、一電極が第１電源電圧線ＥＬＶＤＤに接続され、他の電極がトランジスタＭ１の一電極に接続され、ゲート電極が発光線Ｅｉに接続される。トランジスタＭ６は、一電極がトランジスタＭ１の他の電極に接続され、他の電極が有機発光ダイオードＯＥＬＤ１のアノード電極に接続され、ゲート電極が発光線Ｅｉに接続される。トランジスタＭ５、Ｍ６は、発光トランジスタと名付けられてもよい。トランジスタＭ５、Ｍ６はターンオンレベルの発光信号が印加されると、第１電源電圧線ＥＬＶＤＤと第２電源電圧線ＥＬＶＳＳの間の駆動電流経路を形成して有機発光ダイオードＯＥＬＤ１を発光させる。
【００５０】
トランジスタＭ７は、一電極が有機発光ダイオードＯＬＥＤ１のアノード電極に接続され、他の電極が初期化電圧線ＶＩＮＴに接続され、ゲート電極が現在の走査線Ｓｉに接続される。他の実施形態において、トランジスタＭ７のゲート電極は他の走査線に接続されてもよい。例えば、トランジスタＭ７のゲート電極は、前の走査線Ｓ（ｉ−１）またはその前の走査線、次の走査線（ｉ＋１番目の走査線）またはその次の走査線に接続されてもよい。トランジスタＭ７は、現在の走査線Ｓｉにターンオンレベルの走査信号が印加されると、有機発光ダイオードＯＬＥＤ１のアノード電極に初期化電圧を伝達し、有機発光ダイオードＯＥＬＤ１に蓄積された電荷量を初期化させる。
【００５１】
有機発光ダイオードＯＬＥＤ１は、アノード電極がトランジスタＭ６の他の電極に接続され、カソード電極が第２電源電圧線ＥＬＶＳＳに接続されてもよい。
【００５２】
図３は、本発明の一実施形態による画素の駆動方法を説明するための図である。
【００５３】
まず、データ線Ｄｊには前の画素行に対するデータ電圧ＤＡＴＡ（ｉ−１）ｊが印加され、前の走査線Ｓ（ｉ−１）にはターンオンレベル（ローレベル）の走査信号が印加される。
【００５４】
現在の走査線Ｓｉにはターンオフレベル（ハイレベル）の走査信号が印加されるため、トランジスタＭ２はターンオフ状態であり、前の画素行ＤＡＴＡ（ｉ−１）ｊに対するデータ電圧が画素ＰＸｉｊに引き込まれることが防止される。
【００５５】
このとき、トランジスタＭ４はターンオン状態となるため、トランジスタＭ１のゲート電極に初期化電圧が印加されて電荷量が初期化される。発光線Ｅｉにはターンオフレベルの発光信号が印加されるため、トランジスタＭ５、Ｍ６はターンオフ状態であり、初期化電圧の印加過程による不要な有機発光ダイオードＯＬＥＤ１の発光が防止される。
【００５６】
次いで、データ線Ｄｊには、現在の画素行に対するデータ電圧ＤＡＴＡｉｊが印加され、現在の走査線Ｓｉにはターンオンレベルの走査信号が印加される。これにより、トランジスタＭ２、Ｍ１、Ｍ３が導通状態となり、データ線ＤｊとトランジスタＭ１のゲート電極が電気的に接続される。従って、データ電圧ＤＡＴＡｉｊがストレージキャパシタＣｓｔ１の他の電極に印加され、ストレージキャパシタＣｓｔ１は、第１電源電圧線ＥＬＶＤＤの電圧とデータ電圧ＤＡＴＡｉｊの差に該当する電荷量を蓄積する。
【００５７】
このとき、トランジスタＭ７はターンオン状態であるため、有機発光ダイオードＯＬＥＤ１のアノード電極と初期化電圧線ＶＩＮＴが接続され、有機発光ダイオードＯＥＬＤ１は初期化電圧と第２電源電圧の電圧差に該当する電荷量でプレチャージ（ｐｒｅｃｈａｒｇｅ）または初期化される。
【００５８】
その後、発光線Ｅｉにターンオンレベルの発光信号が印加されることによって、トランジスタＭ５、Ｍ６が導通され、ストレージキャパシタＣｓｔ１に蓄積された電荷量に応じてトランジスタＭ１を通過する駆動電流が調整されて有機発光ダイオードＯＬＥＤ１に駆動電流が流れる。有機発光ダイオードＯＬＥＤ１は、発光線Ｅｉにターンオフレベルの発光信号が印加される前まで発光する。
【００５９】
図４は、本発明の他の実施形態による表示装置を説明するための図である。
【００６０】
図４を参照すると、本発明の他の実施形態による表示装置１０’は、タイミング制御部１１、データ駆動部１２、走査駆動部１３、画素部１５’、及びロゴ制御部１６を含んでもよい。
【００６１】
図４の表示装置１０’は、発光制御部がないことを除き、図１の表示装置１０と実質的に同じ構成を含むため、重複した説明は省略する。
【００６２】
図５は、本発明の他の実施形態による画素を説明するための図であり、図６は、本発明の他の実施形態による画素の駆動方法を説明するための図である。
【００６３】
画素ＰＸｉｊ’は、複数のトランジスタＴ１、Ｔ２と、ストレージキャパシタＣｓｔ２と、有機発光ダイオードＯＬＥＤ２と、を含んでもよい。
【００６４】
トランジスタＴ２は、ゲート電極が走査線Ｓｉに接続され、一電極がデータ線Ｄｊに接続され、他の電極がトランジスタＴ１のゲート電極に接続される。トランジスタＴ２は、スイッチングトランジスタ、スキャントランジスタ、走査トランジスタなどと名付けられてもよい。
【００６５】
トランジスタＴ１は、ゲート電極がトランジスタＴ２の他の電極に接続され、一電極が第１電源電圧線ＥＬＶＤＤに接続され、他の電極が有機発光ダイオードＯＬＥＤ２のアノード電極に接続される。トランジスタＴ１は、駆動トランジスタと命名されてもよい。
【００６６】
ストレージキャパシタＣｓｔ２は、トランジスタＴ１の一電極とゲート電極を接続させる。
【００６７】
有機発光ダイオードＯＬＥＤ２は、アノード電極がトランジスタＴ１の他の電極に接続され、カソード電極が第２電源電圧線ＥＬＶＳＳに接続される。
【００６８】
トランジスタＴ２のゲート端子に走査線Ｓｉを介してターンオンレベル（ローレベル）の走査信号が供給されると、トランジスタＴ２は、データ線ＤｊとストレージキャパシタＣｓｔ２の一電極を接続させる。従って、ストレージキャパシタＣｓｔ２には、データ線Ｄｊを介して印加されたデータ電圧ＤＡＴＡｉｊと第１電源電圧の差に応じた電圧値が記入される。トランジスタＴ１は、ストレージキャパシタＣｓｔ２に記入された電圧値に応じて決まった駆動電流を第１電源電圧線ＥＬＶＤＤから第２電源電圧線ＥＬＶＳＳに流れるようにする。有機発光ダイオードＯＬＥＤ２は、駆動電流量に応じた輝度で発光するようになる。
【００６９】
図７は、本発明の一実施形態によるロゴ制御部を説明するための図である。
【００７０】
図７を参照すると、本発明の一実施形態によるロゴ制御部１６は、ロゴ領域検出部１６１、ロゴ周辺領域設定部１６２、第１ロゴ領域のしきい値設定部１６３ａ、第２ロゴ領域のしきい値設定部１６３ｂ、ロゴ領域補正部１６４、表示負荷判断部１６５、及びロゴ周辺領域補正部１６６を含んでもよい。
【００７１】
それぞれの機能部１６１〜１６６は、独立してそれぞれ構成されてもよく、統合的に構成されてもよい。それぞれの機能部１６１〜１６６は、専用（ｅｘｃｌｕｓｉｖｅ−ｐｕｒｐｏｓｅ）回路の形態で構成されてもよく、ソフトウェア的に構成されて汎用（ｇｅｎｅｒａｌ−ｐｕｒｐｏｓｅ）回路で駆動されてもよい。汎用回路は、プロセッサ（ｐｒｏｃｅｓｓｏｒ）であってもよい。
【００７２】
ロゴ制御部１６は、タイミング制御部１１から第１映像フレームＩＭＦ１を受信して補正した第３映像フレームＩＭＦ３を提供することができる。実施形態によると、第３映像フレームＩＭＦ３は、タイミング制御部１１またはデータ駆動部１２に提供されてもよい。場合によって、第３映像フレームＩＭＦ３は、第１映像フレームＩＭＦ１または第２映像フレームＩＭＦ２と同一であってもよい。例えば、ロゴが検出されない場合、第３映像フレームＩＭＦ３は、第１映像フレームＩＭＦ１と同一であってもよい。
【００７３】
以下では、図７の各構成を該当する図面とともに説明する。なお、以下で説明する各領域は、画素ＰＸｉｊ、ＰＸｉｊ’単位で定義されてもよい。具体的には、各領域は、画素ＰＸｉｊ、ＰＸｉｊ’の有機発光ダイオードＯＬＥＤ１、ＯＬＥＤ２単位で定義されてもよい。例えば、各領域は、少なくとも１つの有機発光ダイオードＯＬＥＤ１、ＯＬＥＤ２を含んでもよい。
【００７４】
図８は、本発明の一実施形態によるロゴ領域検出部を説明するための図であり、図９及び図１０は、本発明の一実施形態によるロゴ周辺領域設定部を説明するための図である。
【００７５】
ロゴ領域検出部１６１は、第１映像フレームＩＭＦ１を受信し、ロゴ領域の位置情報ＬＧＡ＿ｌｏｃを提供することができる。
【００７６】
ロゴ領域検出部１６１は、複数の第１映像フレームに基づいて複数の第１映像フレームに共通して含まれたロゴ領域ＬＧＡを検出することができる。複数の第１映像フレームは順に入力された第１映像フレームであってもよい。
【００７７】
例えば、ロゴ領域検出部１６１は、高階調領域検出部１６１１、静止領域検出部１６１２、エッジ領域検出部１６１３、及び重畳領域抽出部１６１４を含んでもよい。
【００７８】
高階調領域検出部１６１１は、第１映像フレームＩＭＦ１を受信し、高階調領域の位置情報ＨＧＡ＿ｌｏｃを提供することができる。例えば、高階調領域検出部１６１１は、複数の第１映像フレームに共通して含まれた高階調領域を検出し、その位置情報を高階調領域の位置情報ＨＧＡ＿ｌｏｃとして提供することができる。
【００７９】
静止領域検出部１６１２は、第１映像フレームＩＭＦ１を受信し、静止領域の位置情報ＳＩＡ＿ｌｏｃを提供することができる。例えば、静止領域検出部１６１２は、複数の第１映像フレームに共通して含まれた静止領域を検出し、その位置情報を静止領域の位置情報ＳＩＡ＿ｌｏｃとして提供することができる。
【００８０】
エッジ領域検出部１６１３は、第１映像フレームＩＭＦ１を受信し、エッジ領域の位置情報ＥＤＡ＿ｌｏｃを提供することができる。例えば、エッジ領域検出部１６１３は、複数の第１映像フレームに共通して含まれたエッジ領域を検出し、その位置情報をエッジ領域の位置情報ＥＤＡ＿ｌｏｃとして提供することができる。
【００８１】
重畳領域抽出部１６１４は、高階調領域の位置情報ＨＧＡ＿ｌｏｃ、静止領域の位置情報ＳＩＡ＿ｌｏｃ、及びエッジ領域の位置情報ＥＤＡ＿ｌｏｃを受信し、ロゴ領域の位置情報ＬＧＡ＿ｌｏｃを提供することができる。例えば、重畳領域抽出部１６１４は、高階調領域の位置情報ＨＧＡ＿ｌｏｃに基づいた高階調領域、静止領域の位置情報ＳＩＡ＿ｌｏｃに基づいた静止領域、及びエッジ領域の位置情報ＥＤＡ＿ｌｏｃに基づいたエッジ領域の重畳された領域をロゴ領域ＬＧＡとして抽出し、その位置情報をロゴ領域の位置情報ＬＧＡ＿ｌｏｃとして提供することができる。
【００８２】
本実施形態によると、順次的な複数の第１映像フレームに共通して高階調状態及び静止状態を保持しながらエッジ（ｅｄｇｅ）を含む領域がロゴ領域ＬＧＡとして検出されることができる。
【００８３】
本実施形態によると、正確なロゴＬＧの位置を確認する複雑なアルゴリズムがなくても、高い確率でロゴＬＧが含まれたロゴ領域ＬＧＡを検出することができる。
【００８４】
ロゴ周辺領域設定部１６２は、ロゴ領域の位置情報ＬＧＡ＿ｌｏｃを受信し、ロゴ周辺領域の位置情報ＬＧＰＡ＿ｌｏｃを提供することができる。例えば、ロゴ周辺領域設定部１６２は、領域拡張部１６２１を含んでもよい。本実施形態において、領域拡張部１６２１はロゴ周辺領域設定部１６２と同一であってもよい。
【００８５】
領域拡張部１６２１は、ロゴ領域の位置情報ＬＧＡ＿ｌｏｃ及び第１〜第４離隔距離値Ｄ１１、Ｄ１２、Ｄ２１、Ｄ２２を受信し、ロゴ周辺領域の位置情報ＬＧＰＡ＿ｌｏｃを提供することができる。
【００８６】
例えば、領域拡張部１６２１は、ロゴ領域ＬＧＡの第１方向ＤＲ１の外郭を第１離隔距離値Ｄ１１分だけ第１方向ＤＲ１に拡張させ、ロゴ領域ＬＧＡの第１方向ＤＲ１の反対方向の外郭を第２離隔距離値Ｄ１２分だけ第１方向ＤＲ１の反対方向に拡張させ、ロゴ領域ＬＧＡの第２方向ＤＲ２の外郭を第３離隔距離値Ｄ２１分だけ第２方向ＤＲ２に拡張させ、ロゴ領域ＬＧＡの第２方向ＤＲ２の反対方向の外郭を第４離隔距離値Ｄ２２分だけ第２方向ＤＲ２の反対方向に拡張させることで、ロゴ周辺領域ＬＧＰＡの外郭を設定することができる。本実施形態において、ロゴ周辺領域ＬＧＰＡの内郭はロゴ領域ＬＧＡの外郭と一致することができる。領域拡張部１６２１は、このようなロゴ周辺領域ＬＧＰＡの位置情報をロゴ周辺領域の位置情報ＬＧＰＡ＿ｌｏｃとして提供することができる。
【００８７】
本実施形態によると、ロゴ周辺領域ＬＧＰＡの大きさはロゴ領域ＬＧＡの大きさに合わせて可変できるため、様々な形態及び大きさのロゴ領域ＬＧＡに対応してロゴ周辺領域ＬＧＰＡを設定することができる。
【００８８】
図１１及び図１２は、本発明の一実施形態による第１ロゴ領域のしきい値設定部を説明するための図である。
【００８９】
第１ロゴ領域のしきい値設定部１６３ａは、第１映像フレームＩＭＦ１及びロゴ周辺領域の位置情報ＬＧＰＡ＿ｌｏｃを受信し、第１平均値ＬＧＰＡ＿ａｖｇ及び第１ロゴ領域のしきい値ＢＧｔｈ１を提供することができる。例えば、第１ロゴ領域のしきい値設定部１６３ａは、第１映像フレームＩＭＦ１のロゴ周辺領域ＬＧＰＡの階調値に基づいて第１ロゴ領域のしきい値ＢＧｔｈ１を設定することができる。第１ロゴ領域のしきい値設定部１６３ａは、第１平均値算出部１６３１及びマージン値加算部１６３２を含んでもよい。
【００９０】
第１平均値算出部１６３１は、第１映像フレームＩＭＦ１及びロゴ周辺領域の位置情報ＬＧＰＡ＿ｌｏｃを受信し、第１平均値ＬＧＰＡ＿ａｖｇを提供することができる。例えば、第１平均値算出部１６３１は、第１映像フレームＩＭＦ１のロゴ周辺領域ＬＧＰＡの階調値の第１平均値ＬＧＰＡ＿ａｖｇを算出することができる。ロゴ周辺領域の代表値は、第１平均値ＬＧＰＡ＿ａｖｇと対応することができる。実施形態によると、マージン値加算部１６３２が存在しない場合、第１ロゴ領域のしきい値ＢＧｔｈ１は、第１平均値ＬＧＰＡ＿ａｖｇと対応することができる。
【００９１】
マージン値加算部１６３２は、第１平均値ＬＧＰＡ＿ａｖｇ及びマージン値ｍｇ１を受信し、第１ロゴ領域のしきい値ＢＧｔｈ１を提供することができる。例えば、マージン値加算部１６３２は、第１平均値ＬＧＰＡ＿ａｖｇにマージン値ｍｇ１を加算して第１ロゴ領域のしきい値ＢＧｔｈ１を算出することができる。
【００９２】
図１２を参照すると、横軸は階調値ＧＲＡＹに対応し、縦軸はロゴ周辺領域ＬＧＰＡにおいて該当階調値ＧＲＡＹを有する画素の数ＰＸＮに対応するヒストグラムが示されている。
【００９３】
例えば、階調値ＧＲＡＹと対応する画素の数ＰＸＮをかけた値を足し、これをロゴ周辺領域ＬＧＰＡに含まれた画素の総数で割ると、第１平均値ＬＧＰＡ＿ａｖｇを導出することができる。即ち、第１平均値ＬＧＰＡ＿ａｖｇは、ロゴ周辺領域ＬＧＰＡに含まれた画素の平均階調値に該当することができる。
【００９４】
本実施形態によると、第１ロゴ領域のしきい値ＢＧｔｈ１の大きさは第１平均値ＬＧＰＡ＿ａｖｇに合わせて可変することができる。
【００９５】
図１３は、本発明の一実施形態による表示負荷判断部を説明するための図である。
【００９６】
表示負荷判断部１６５は、第１映像フレームＩＭＦ１及び第１平均値ＬＧＰＡ＿ａｖｇを受信し、第１比較情報ＣＰ１を提供することができる。例えば、表示負荷判断部１６５は、少なくとも１つの第１映像フレームＩＭＦ１の階調値に基づいて表示負荷値を算出し、ロゴ周辺領域の代表値（例えば、第１平均値ＬＧＰＡ＿ａｖｇ）と表示負荷値の差が第１基準値ｒｅｆ１以下であるか否かを判断することができる。例えば、表示負荷判断部１６５は、第２平均値算出部１６５１及び第１比較部１６５２を含んでもよい。
【００９７】
第２平均値算出部１６５１は、第１映像フレームＩＭＦ１を受信し、第２平均値ＩＭＦ１＿ａｖｇを提供することができる。例えば、第２平均値算出部１６５１は、少なくとも１つの第１映像フレームＩＭＦ１の階調値の第２平均値ＩＭＦ１＿ａｖｇを算出することができる。このとき、第２平均値ＩＭＦ１＿ａｖｇの算出の対象となる階調値は、ロゴ周辺領域ＬＧＰＡ及びロゴ領域ＬＧＡを含む第１映像フレームＩＭＦ１の全画素の階調値であってもよい。従って、表示負荷値は、第２平均値ＩＭＦ１＿ａｖｇと対応することができる。
【００９８】
第１比較部１６５２は、第１平均値ＬＧＰＡ＿ａｖｇ、第２平均値ＩＭＦ１＿ａｖｇ、及び第１基準値ｒｅｆ１を受信し、第１比較情報ＣＰ１を提供することができる。例えば、第１比較部１６５２は、第１平均値ＬＧＰＡ＿ａｖｇと第２平均値ＩＭＦ１＿ａｖｇの差が第１基準値ｒｅｆ１を超えるか否かを判断し、判断結果に対応する第１比較情報ＣＰ１を提供することができる。
【００９９】
第１平均値ＬＧＰＡ＿ａｖｇと第２平均値ＩＭＦ１＿ａｖｇの差が第１基準値ｒｅｆ１を超えない場合は、表示負荷が相対的に大きいと判断することができる。このとき、第１平均値ＬＧＰＡ＿ａｖｇが第２平均値ＩＭＦ１＿ａｖｇより大きくてもよい。表示負荷が相対的に大きいということは、第１映像フレームＩＭＦ１が相対的に明るいという意味であることができる。このような場合、後述する段階では、ロゴ周辺領域ＬＧＰＡの階調値を補正せずに、ロゴ領域ＬＧＡの階調値だけを第１ロゴ領域のしきい値ＢＧｔｈ１以下に補正することができる。ユーザーが視認するロゴ領域ＬＧＡの輝度は、ロゴ周辺領域ＬＧＰＡの相対的な輝度に主に依存するため、表示負荷が相対的に大きい場合でも、階調値が減少されたロゴ領域ＬＧＡのロゴＬＧは、ユーザーに適切に視認されることができる。このような場合、後述するロゴ周辺領域補正部１６６は、第１映像フレームＩＭＦ１を補正せずに、第２映像フレームＩＭＦ２に提供することができる。即ち、このとき、第２映像フレームＩＭＦ２は、第１映像フレームＩＭＦ１と同一であってもよい。
【０１００】
第１平均値ＬＧＰＡ＿ａｖｇと第２平均値ＩＭＦ１＿ａｖｇの差が第１基準値ｒｅｆ１を超える場合、表示負荷が相対的に小さいと判断することができる。このとき、第１平均値ＬＧＰＡ＿ａｖｇが第２平均値ＩＭＦ１＿ａｖｇより大きくてもよい。表示負荷が相対的に小さいということは、第１映像フレームＩＭＦ１が相対的に暗いという意味であることができる。このとき、条件に応じてロゴ周辺領域ＬＧＰＡ及びロゴ領域ＬＧＡの階調値をさらに減少させることにより、画素の劣化をより効果的に防止することができる。即ち、このとき、条件によって、第２映像フレームＩＭＦ２は、第１映像フレームＩＭＦ１と同一または異なってもよい。これについては、図１４、１５、及び１６をさらに参照して説明する。
【０１０１】
第１基準値ｒｅｆ１は、製品に応じて、適切な階調値で選択されてもよい。例えば、第１基準値ｒｅｆ１は５０階調と設定されてもよい。
【０１０２】
図１４、１５、及び１６は、本発明の一実施形態によるロゴ周辺領域補正部を説明するための図である。
【０１０３】
ロゴ周辺領域補正部１６６は、第１映像フレームＩＭＦ１、第１比較情報ＣＰ１、ロゴ領域の位置情報ＬＧＡ＿ｌｏｃ、ロゴ周辺領域の位置情報ＬＧＰＡ＿ｌｏｃ、及び第１ロゴ領域のしきい値ＢＧｔｈ１を受信し、第２映像フレームＩＭＦ２を提供することができる。例えば、ロゴ周辺領域補正部１６６は、表示負荷値（例えば、第２平均値ＩＭＦ１＿ａｖｇ）が第１基準値ｒｅｆ１以下で、ロゴ領域ＬＧＡの階調値に基づいたロゴ領域の代表値（例えば、第３平均値ＬＧＡ＿ａｖｇ）とロゴ周辺領域ＬＧＰＡの階調値に基づいた第１ロゴ領域のしきい値ＢＧｔｈ１の差が第２基準値ｒｅｆ２以下である場合、ロゴ周辺領域ＬＧＰＡの階調値のうち少なくとも一部を減少させて第２映像フレームＩＭＦ２を生成することができる。例えば、ロゴ周辺領域補正部１６６は、第３平均値算出部１６６１、第２比較部１６６２、ロゴ周辺領域カーブ算出部１６６３、及び第２映像フレーム生成部１６６４を含んでもよい。
【０１０４】
第３平均値算出部１６６１は、第１比較情報ＣＰ１、ロゴ領域の位置情報ＬＧＡ＿ｌｏｃ、及び第１映像フレームＩＭＦ１を受信し、第３平均値ＬＧＡ＿ａｖｇを提供することができる。ロゴ領域の代表値は、第３平均値ＬＧＡ＿ａｖｇと対応することができる。例えば、第３平均値算出部１６６１は、第１映像フレームＩＭＦ１のロゴ領域ＬＧＡの階調値の第３平均値ＬＧＡ＿ａｖｇを算出することができる。
【０１０５】
第２比較部１６６２は、第３平均値ＬＧＡ＿ａｖｇ、第２基準値ｒｅｆ２、及び第１ロゴ領域のしきい値ＢＧｔｈ１を受信し、第２比較情報ＣＰ２を提供することができる。例えば、第２比較部１６６２は、第３平均値ＬＧＡ＿ａｖｇと第１ロゴ領域のしきい値ＢＧｔｈ１の差が第２基準値ｒｅｆ２以下であるか否かを比較し、比較結果を第２比較情報ＣＰ２として提供することができる。
【０１０６】
第３平均値ＬＧＡ＿ａｖｇと第１ロゴ領域のしきい値ＢＧｔｈ１の差が第２基準値ｒｅｆ２を超える場合、ロゴ周辺領域ＬＧＰＡの階調値が相対的に小さいと判断することができる。このような場合、ロゴ領域補正部１６４によってロゴＬＧに対応する画素の階調値が十分に減少することができ、画素の劣化防止の目的が達成されるため、ロゴ周辺領域ＬＧＰＡの補正が不要となることができる。従って、このような場合、ロゴ周辺領域補正部１６６は、第１映像フレームＩＭＦ１と同一の第２映像フレームＩＭＦ２を提供することができる。
【０１０７】
ロゴ領域検出部１６１の説明を参照すると、ロゴＬＧに該当する画素は高階調値を有するため、第３平均値ＬＧＡ＿ａｖｇと第１ロゴ領域のしきい値ＢＧｔｈ１の差が第２基準値ｒｅｆ２以下である場合、ロゴ周辺領域ＬＧＰＡの階調値が相対的に大きいと判断することができる。このとき、第１ロゴ領域のしきい値ＢＧｔｈ１に依存するのであれば、ロゴＬＧに対応する画素の階調値が十分に減少されない可能性がある。従って、このような場合、ロゴ周辺領域ＬＧＰＡの階調値を減少させて、さらに低い第２ロゴ領域のしきい値を生成させる必要がある。従って、このような場合、ロゴ周辺領域補正部１６６は、第１映像フレームＩＭＦ１と異なる第２映像フレームＩＭＦ２を提供することができる。
【０１０８】
第２基準値ｒｅｆ２は、製品に応じて、適切な階調差値で選択されてもよい。例えば、第２基準値ｒｅｆ２は２０階調で選択されてもよい。
【０１０９】
ロゴ周辺領域カーブ算出部１６６３は、第２比較情報ＣＰ２、第１ロゴ領域のしきい値ＢＧｔｈ１、及びロゴ周辺領域の位置情報ＬＧＰＡ＿ｌｏｃを受信し、第１マッピングカーブＳＢ１＿ＣＶ、ＳＢ２＿ＣＶ、ＳＢ３＿ＣＶを提供することができる。例えば、ロゴ周辺領域カーブ算出部１６６３は、第３平均値ＬＧＡ＿ａｖｇと第１ロゴ領域のしきい値ＢＧｔｈ１の差が第２基準値ｒｅｆ２以下である場合、ロゴ周辺領域ＬＧＰＡのサブ領域ＳＢ１、ＳＢ２、ＳＢ３のそれぞれに対する階調値を、サブ領域のしきい値ＳＢ１＿ｔｈ、ＳＢ２＿ｔｈ、ＳＢ３＿ｔｈ以下に制限する第１マッピングカーブＳＢ１＿ＣＶ、ＳＢ２＿ＣＶ、ＳＢ３＿ＣＶを算出することができる。
【０１１０】
第２映像フレーム生成部１６６４は、ロゴ周辺領域の位置情報ＬＧＰＡ＿ｌｏｃ、第１映像フレームＩＭＦ１、及び第１マッピングカーブＳＢ１＿ＣＶ、ＳＢ２＿ＣＶ、ＳＢ３＿ＣＶを受信し、第２映像フレームＩＭＦ２を提供することができる。例えば、第２映像フレーム生成部１６６４は、第１マッピングカーブＳＢ１＿ＣＶ、ＳＢ２＿ＣＶ、ＳＢ３＿ＣＶに基づいて、第１映像フレームＩＭＦ１のサブ領域ＳＢ１、ＳＢ２、ＳＢ３の階調値のうち少なくとも一部を減少させて第２映像フレームＩＭＦ２を生成することができる。
【０１１１】
図１５を参照すると、サブ領域ＳＢ１、ＳＢ２、ＳＢ３は、ロゴ領域ＬＧＡとの距離によって順に設定されてもよい。例えば、サブ領域ＳＢ１、ＳＢ２、ＳＢ３のうちサブ領域ＳＢ１がロゴ領域ＬＧＡから最も遠く、サブ領域ＳＢ３がロゴ領域ＬＧＡから最も近くてもよい。
【０１１２】
実施形態によると、サブ領域ＳＢ１、ＳＢ２、ＳＢ３は互いに重畳されなくてもよい。例えば、ロゴ領域ＬＧＡから相対的に遠く位置するサブ領域ＳＢ１は、相対的に近く位置するサブ領域ＳＢ２を取り囲んでもよい。
【０１１３】
図１６を参照すると、横軸はロゴ周辺領域ＬＧＰＡの入力階調値ＬＧＰＡ＿ＩＮで、縦軸はロゴ周辺領域ＬＧＰＡの補正階調値ＬＧＰＡ＿ＯＵＴであるグラフが示されている。
【０１１４】
デフォルトマッピングカーブ（ｄｅｆａｕｌｔ  ｍａｐｐｉｎｇ  ｃｕｒｖｅ）ＬＧＰＡ＿ＣＶ＿ｄによると、入力階調値ＬＧＰＡ＿ＩＮは補正なしに同じ階調値で保持されることができる。即ち、デフォルトマッピングカーブＬＧＰＡ＿ＣＶ＿ｄの傾きは１であってもよい。
【０１１５】
第１マッピングカーブＳＢ１＿ＣＶ、ＳＢ２＿ＣＶ、ＳＢ３＿ＣＶは、０階調から第１基準階調ｒｅｆ＿ｇｒａｙ１までに対しては、傾きが１で提供され、第１基準階調ｒｅｆ＿ｇｒａｙ１の以降から傾きが次第に小さくなるように設定されてもよい。０階調はブラック階調であってもよく、最後の階調（８ビットデータである場合、２５５階調）はホワイト階調であってもよい。第１マッピングカーブＳＢ１＿ＣＶ、ＳＢ２＿ＣＶ、ＳＢ３＿ＣＶによる補正階調値ＬＧＰＡ＿ＯＵＴは、対応するサブ領域のしきい値ＳＢ１＿ｔｈ、ＳＢ２＿ｔｈ、ＳＢ３＿ｔｈに収束することができる。
【０１１６】
サブ領域のしきい値ＳＢ１＿ｔｈ、ＳＢ２＿ｔｈ、ＳＢ３＿ｔｈは、対応するサブ領域ＳＢ１、ＳＢ２、ＳＢ３がロゴ領域ＬＧＡに隣接するほど減少することができる。従って、ロゴ領域ＬＧＡと最も隣接するサブ領域ＳＢ３の輝度を最も下げることにより、相対的にロゴＬＧの輝度を目立たせることができる。
【０１１７】
サブ領域のしきい値ＳＢ１＿ｔｈ、ＳＢ２＿ｔｈ、ＳＢ３＿ｔｈは、第１ロゴ領域のしきい値ＢＧｔｈ１より大きいかまたは同一であってもよい。従って、同じ入力階調に対して不規則な階調表現を防止することができる。これについては、図１８の説明を参照する。
【０１１８】
他の実施形態では、第１基準階調ｒｅｆ＿ｇｒａｙ１の値は、それぞれの第１マッピングカーブＳＢ１＿ＣＶ、ＳＢ２＿ＣＶ、ＳＢ３＿ＣＶに対して異なって設定されてもよい。例えば、それぞれの第１基準階調ｒｅｆ＿ｇｒａｙ１の値は、対応するサブ領域のしきい値ＳＢ１＿ｔｈ、ＳＢ２＿ｔｈ、ＳＢ３＿ｔｈに依存することができる。例えば、サブ領域のしきい値ＳＢ１＿ｔｈ、ＳＢ２＿ｔｈ、ＳＢ３＿ｔｈが小さくなるほど、第１基準階調ｒｅｆ＿ｇｒａｙ１の値は小さく設定されてもよい。
【０１１９】
実施形態によると、０階調から第１基準階調ｒｅｆ＿ｇｒａｙ１までに対しても傾きが次第に小さくなるように設定されることもできる。
【０１２０】
それぞれの第１マッピングカーブＳＢ１＿ＣＶ、ＳＢ２＿ＣＶ、ＳＢ３＿ＣＶは、入力階調値ＬＧＰＡ＿ＩＮに対応する補正階調値ＬＧＰＡ＿ＯＵＴが記録されたルックアップテーブル（ｌｏｏｋ−ｕｐ  ｔａｂｌｅ）の形態でメモリに予め保存されてもよい。
【０１２１】
他の実施形態では、それぞれの第１マッピングカーブＳＢ１＿ＣＶ、ＳＢ２＿ＣＶ、ＳＢ３＿ＣＶは、一部の入力階調値に対応する一部の補正階調値に対してのみルックアップテーブルの形態でメモリに予め保存され、残りの入力階調値に対応する残りの補正階調値に対しては、インターポレージョン（ｉｎｔｅｒｐｏｌａｔｉｏｎ）などの方法で生成されてもよい。
【０１２２】
他の実施形態では、第１マッピングカーブＳＢ１＿ＣＶ、ＳＢ２＿ＣＶ、ＳＢ３＿ＣＶは、データではなく数学式の形態であってもよく、該当数学式は、アルゴリズム化されてメモリに保存されているか、または専用回路で直接実現されてもよい。
【０１２３】
本実施形態によると、条件に応じて、ロゴ周辺領域ＬＧＰＡのサブ領域ＳＢ１、ＳＢ２、ＳＢ３の階調値が対応するサブ領域のしきい値ＳＢ１＿ｔｈ、ＳＢ２＿ｔｈ、ＳＢ３＿ｔｈ以下に補正されてもよい。補正された場合、第２映像フレームＩＭＦ２は、第１映像フレームＩＭＦ１と異なってもよい。補正されていない場合、第２映像フレームＩＭＦ２は、第１映像フレームＩＭＦ１と同一であってもよい。
【０１２４】
第２ロゴ領域のしきい値設定部１６３ｂは、第２映像フレームＩＭＦ２及びロゴ周辺領域の位置情報ＬＧＰＡ＿ｌｏｃを受信し、第２ロゴ領域のしきい階調ＢＧｔｈ２を提供することができる。例えば、第２ロゴ領域のしきい値設定部１６３ｂは、第２映像フレームＩＭＦ２のロゴ周辺領域ＬＧＰＡの階調値に基づいて、第２ロゴ領域のしきい値ＢＧｔｈ２を設定することができる。例えば、第２ロゴ領域のしきい値設定部１６３ｂは、第１ロゴ領域のしきい値設定部１６３ａと類似して、第１平均値算出部及びマージン値加算部を含んでもよい。第２ロゴ領域のしきい値設定部１６３ｂは、第１ロゴ領域のしきい値設定部１６３ａと実質的に同一に構成されてもよい。従って、別の図面に図示しない。
【０１２５】
しかし、第２ロゴ領域のしきい値設定部１６３ｂは、第２映像フレームＩＭＦ２に基づいて、第２ロゴ領域のしきい値ＢＧｔｈ２を設定するという点で、第１ロゴ領域のしきい値設定部１６３ａとは違いがある。補正された第２映像フレームＩＭＦ２のロゴ周辺領域ＬＧＰＡの階調値のうち少なくとも一部は、第１映像フレームＩＭＦ１のロゴ周辺領域ＬＧＰＡの対応する階調値より小さくなる。従って、第２ロゴ領域のしきい階調ＢＧｔｈ２は、第１ロゴ領域のしきい階調ＢＧｔｈ１より小さくてもよい。
【０１２６】
もし、第２映像フレームＩＭＦ２が第１映像フレームＩＭＦ１と同一である場合、第２ロゴ領域の地きい階調ＢＧｔｈ２は、第１ロゴ領域のしきい階調ＢＧｔｈ１と同一であってもよい。
【０１２７】
図１７及び図１８は、本発明の一実施形態によるロゴ領域補正部を説明するための図である。
【０１２８】
ロゴ領域補正部１６４は、第２映像フレームＩＭＦ２、ロゴ領域の位置情報ＬＧＡ＿ｌｏｃ、及び第２ロゴ領域のしきい値ＢＧｔｈ２を受信し、第３映像フレームＩＭＦ３を提供することができる。例えば、ロゴ領域補正部１６４は、第２映像フレームＩＭＦ２のロゴ領域ＬＧＡの階調値を第２ロゴ領域のしきい値ＢＧｔｈ２以下に補正することができる。例えば、ロゴ領域補正部１６４は、ロゴ領域カーブ算出部１６４１及び第３映像フレーム生成部１６４２を含んでもよい。
【０１２９】
ロゴ領域カーブ算出部１６４１は、第２ロゴ領域のしきい値ＢＧｔｈ２及びロゴ領域の位置情報ＬＧＡ＿ｌｏｃを受信し、第２マッピングカーブＬＧＡ＿ＣＶを提供することができる。例えば、ロゴ領域カーブ算出部１６４１は、第２映像フレームＩＭＦ２のロゴ領域ＬＧＡの階調値を第２ロゴ領域のしきい値ＢＧｔｈ２以下に制限する第２マッピングカーブＬＧＡ＿ＣＶを算出することができる。
【０１３０】
第３映像フレーム生成部１６４２は、ロゴ領域の位置情報ＬＧＡ＿ｌｏｃ、第２映像フレームＩＭＦ２、及び第２マッピングカーブＬＧＡ＿ＣＶを受信し、第３映像フレームＩＭＦ３を提供することができる。例えば、第３映像フレーム生成部１６４２は、第２マッピングカーブＬＧＡ＿ＣＶに基づいて、第２映像フレームＩＭＦ２のロゴ領域ＬＧＡの階調値のうち少なくとも一部を減少させて第３映像フレームＩＭＦ３を生成することができる。
【０１３１】
図１８を参照すると、横軸はロゴ領域ＬＧＡの入力階調値ＬＧＡ＿ＩＮで、縦軸はロゴ領域ＬＧＡの補正階調値ＬＧＡ＿ＯＵＴであるグラフが示されている。
【０１３２】
デフォルトマッピングカーブＬＧＡ＿ＣＶ＿ｄによると、入力階調値ＬＧＡ＿ＩＮは補正なしに同じ階調値で保持されることができる。即ち、デフォルトマッピングカーブＬＧＡ＿ＣＶ＿ｄの傾きは１であってもよい。
【０１３３】
第２マッピングカーブＬＧＡ＿ＣＶは、０階調から第２基準階調ｒｅｆ＿ｇｒａｙ２までに対しては、傾きが１で提供され、第２基準階調ｒｅｆ＿ｇｒａｙ２の以降から傾きが次第に小さくなるように設定されてもよい。０階調はブラック階調であってもよく、最後の階調（８ビットデータである場合、２５５階調）はホワイト階調であってもよい。第２マッピングカーブＬＧＡ＿ＣＶによる補正階調値ＬＧＡ＿ＯＵＴは、第２ロゴ領域のしきい値ＢＧｔｈ２の値に収束することができる。
【０１３４】
実施形態によると、第２基準階調ｒｅｆ＿ｇｒａｙ２の値は、第２ロゴ領域のしきい階調ＢＧｔｈ２の値に依存することができる。例えば、第２ロゴ領域のしきい階調ＢＧｔｈ２の値が小さくなるほど、第２基準階調ｒｅｆ＿ｇｒａｙ２の値は小さく設定されてもよい。
【０１３５】
実施形態によると、０階調から第２基準階調ｒｅｆ＿ｇｒａｙ２までの入力階調値ＬＧＡ＿ＩＮに対しても、傾きが次第に小さくなるように設定されてもよい。
【０１３６】
第２マッピングカーブＬＧＡ＿ＣＶは、それぞれの第２ロゴ領域のしきい階調ＢＧｔｈ２に対して入力階調値ＬＧＡ＿ＩＮに対応する補正階調値ＬＧＡ＿ＯＵＴが記録されたルックアップテーブルの形態でメモリに予め保存されてもよい。
【０１３７】
他の実施形態では、第２マッピングカーブＬＧＡ＿ＣＶは、一部の第２ロゴ領域のしきい階調に対してのみルックアップテーブルの形態でメモリに予め保存され、残りの第２ロゴ領域のしきい階調に対してはインターポレージョンなどの方法で生成されてもよい。
【０１３８】
他の実施形態では、第２マッピングカーブＬＧＡ＿ＣＶは、データではなく数学式の形態であってもよく、該当数学式はアルゴリズム化されてメモリに保存されているか、または専用回路で直接実現されてもよい。
【０１３９】
本実施形態によると、ロゴ領域ＬＧＡの階調値が第２ロゴ領域のしきい値ＢＧｔｈ２以下に補正されてもよい。通常、ロゴ領域ＬＧＡにおいてロゴＬＧが高階調（例えば、第２基準階調ｒｅｆ＿ｇｒａｙ２を超える階調）で構成されるため、ロゴＬＧに該当する画素の階調が第２マッピングカーブＬＧＡ＿ＣＶに応じて減少することができる。一方、ロゴ領域ＬＧＡにおいて、ロゴＬＧではない画素は比較的に低階調（例えば、第２基準階調ｒｅｆ＿ｇｒａｙ２以下の階調）で構成されるため、ロゴＬＧではない画素は第２マッピングカーブＬＧＡ＿ＣＶによる階調減少量を僅かとすることができる。従って、ロゴ領域検出部１６１において、ロゴＬＧ自体ではないロゴ領域ＬＧＡを検出しても、ロゴＬＧに該当する画素の階調値を選択的に減少させることができる。
【０１４０】
第２映像フレームＩＭＦ２が第１映像フレームＩＭＦ１と異なる場合、第２ロゴ領域のしきい値ＢＧｔｈ２は、第１ロゴ領域のしきい値ＢＧｔｈ１より小さくなる。従って、本実施形態によると、ロゴＬＧに該当する画素の階調値がさらに減少され、該当画素の劣化をさらに防止することができる。
【０１４１】
また、図１６及び１８を参照すると、第１ロゴ領域のしきい値ＢＧｔｈ１以下に設定される第２ロゴ領域のしきい値ＢＧｔｈ２は、サブ領域のしきい値ＳＢ１＿ｔｈ、ＳＢ２＿ｔｈ、ＳＢ３＿ｔｈより低いことが保障され得る。従って、特定の入力階調値に対してサブ領域ＳＢ１、サブ領域ＳＢ２、サブ領域ＳＢ３、ロゴ領域ＬＧＡの順に出力階調値が順次低くなるため、不規則的な階調表現を防止することができる。
【０１４２】
図１９は、本発明の他の実施形態によるロゴ制御部を説明するための図である。
【０１４３】
図１９を参照すると、本発明の他の実施形態によるロゴ制御部１６’は、ロゴ検出部１６１’、ロゴ周辺領域設定部１６２’、第１ロゴのしきい値設定部１６３ａ’、第２ロゴのしきい値設定部１６３ｂ’、ロゴ補正部１６４’、表示負荷判断部１６５’、及びロゴ周辺領域補正部１６６’を含んでもよい。
【０１４４】
図１９のロゴ制御部１６’は、図７のロゴ制御部１６とは異なり、ロゴ領域ＬＧＡを検出してからロゴ領域のしきい値ＢＧｔｈ１、ＢＧｔｈ２を設定するのではなく、ロゴＬＧ自体を検出してからロゴのしきい値ＢＧｔｈ１’、ＢＧｔｈ２’を設定する点において違いがある。
【０１４５】
従って、図７と比較したとき、図１９のロゴ制御部１６’は、ロゴ領域検出部１６１がロゴ検出部１６１’に代替され、第１ロゴ領域のしきい値設定部１６３ａが第１ロゴのしきい値設定部１６３ａ’に代替され、第２ロゴ領域のしきい値設定部１６３ｂが第１ロゴのしきい値設定部１６３ｂ’に代替され、ロゴ領域補正部１６４がロゴ補正部１６４’に代替された。その他類似する構成に対しては、図面符号にアポストロフィー（ａｐｏｓｔｒｏｐｈｅ）を追加して示した。
【０１４６】
ロゴ検出部１６１’は、第１映像フレームＩＭＦ１’を受信し、ロゴの位置情報ＬＧ＿ｌｏｃ’を提供することができる。例えば、ロゴ検出部１６１’は、複数の第１映像フレームに基づいて、複数の第１映像フレームに共通して含まれたロゴを検出することができる。
【０１４７】
ロゴ検出部１６１’は、ロゴ領域検出部１６１とは異なり、ロゴ領域ＬＧＡではないロゴＬＧ自体の位置情報を提供することができる。ロゴＬＧを検出するアルゴリズムとしては、従来のマシンラーニング（ｍａｃｈｉｎｅ  ｌｅａｒｎｉｎｇ）、ディープラーニング（ｄｅｅｐ  ｌｅａｒｎｉｎｇ）などを利用することができる。
【０１４８】
ロゴ周辺領域設定部１６２’は、ロゴを基準として拡張されたロゴ周辺領域を設定することができる。
【０１４９】
表示負荷判断部１６５’は、少なくとも１つの第１映像フレームＩＭＦ１’の階調値に基づいて表示負荷値を算出し、表示負荷値が第１基準値以下である否かを判断することができる。
【０１５０】
ロゴ周辺領域補正部１６６’は、表示負荷値が第１基準値以下で、ロゴの階調値に基づいたロゴ代表値とロゴ周辺領域の階調値に基づいた第１ロゴのしきい値ＢＧｔｈ１’の差が第２基準値以下である場合、ロゴ周辺領域の階調値のうち少なくとも一部を減少させて第２映像フレームＩＭＦ２’を生成することができる。
【０１５１】
その他、図７のロゴ制御部１６と類似する構成に対する重複した説明は省略する。
【０１５２】
図２０及び２１は、本発明の他の実施形態によるロゴ周辺領域設定部を説明するための図である。
【０１５３】
ロゴ周辺領域設定部１６２’は、ロゴの位置情報ＬＧ＿ｌｏｃ’を受信し、ロゴ周辺領域の位置情報ＬＧＰＡ＿ｌｏｃ’を提供することができる。例えば、ロゴ周辺領域設定部１６２’は、ロゴ領域設定部１６２２’及び領域拡張部１６２１’を含んでもよい。
【０１５４】
ロゴ領域設定部１６２２’は、ロゴの位置情報ＬＧ＿ｌｏｃ’を受信し、ロゴ領域の位置情報ＬＧＡ＿ｌｏｃ’を提供することができる。例えば、ロゴ領域設定部１６２２’は、ロゴＬＧ’の外郭を複数の直線で取り囲むロゴ領域ＬＧＡ’を設定し、ロゴ領域ＬＧＡ’に対する位置情報をロゴ領域の位置情報ＬＧＡ＿ｌｏｃ’として提供することができる。
【０１５５】
領域拡張部１６２１’は、ロゴ領域の位置情報ＬＧＡ＿ｌｏｃ’及び第１〜第４離隔距離値Ｄ１１’、Ｄ１２’、Ｄ２１’、Ｄ２２’を受信し、ロゴ周辺領域の位置情報ＬＧＰＡ＿ｌｏｃ’を提供することができる。例えば、領域拡張部１６２１’は、ロゴ領域ＬＧＡ’の外郭を予め決まった離隔距離値Ｄ１１’、Ｄ１２’、Ｄ２１’、Ｄ２２’に応じて拡張させてロゴ周辺領域ＬＧＰＡ’の外郭を設定することができる。但し、図２１のロゴ周辺領域ＬＧＰＡ’の内郭はロゴＬＧ’の外郭と対応し、図１０のロゴ周辺領域ＬＧＰＡの内郭はロゴ領域ＬＧＡの外郭と対応する点において違いがある。
【０１５６】
図２２、２３、及び２４は、本発明の他の実施形態によるロゴ周辺領域補正部を説明するための図である。
【０１５７】
ロゴ周辺領域補正部１６６’は、第３平均値算出部１６６１’、第２比較部１６６２’、ロゴ周辺領域カーブ算出部１６６３’、及び第２映像フレーム生成部１６６４’を含んでもよい。以下では、図１４と実質的に同じ構成に対する重複した説明は省略する。
【０１５８】
ロゴ周辺領域カーブ算出部１６６３’は、ロゴ代表値（例えば、第３平均値ＬＧ＿ａｖｇ’）と第１ロゴのしきい値ＢＧｔｈ１’の差が第２基準値ｒｅｆ２’以下である場合、ロゴ周辺領域ＬＧＰＡ’のサブ領域ＳＢ１’、ＳＢ２’、ＳＢ３’、ＳＢ４’のそれぞれに対する階調値を、サブ領域のしきい値ＳＢ１＿ｔｈ’、ＳＢ２＿ｔｈ’、ＳＢ３＿ｔｈ’、ＳＢ４＿ｔｈ’以下に制限する第１マッピングカーブＳＢ１＿ＣＶ’、ＳＢ２＿ＣＶ’、ＳＢ３＿ＣＶ’、ＳＢ４＿ＣＶ’を算出することができる。
【０１５９】
図２３を参照すると、サブ領域ＳＢ１’、ＳＢ２’、ＳＢ３’、ＳＢ４’は、ロゴ周辺領域ＬＧＰＡ’の中心との距離に応じて順に設定されてもよい。例えば、サブ領域ＳＢ１’、ＳＢ２’、ＳＢ３’、ＳＢ４’のうちサブ領域ＳＢ１’がロゴ周辺領域ＬＧＰＡ’の中心から最も遠く、サブ領域ＳＢ４’がロゴ周辺領域ＬＧＰＡ’の中心と最も近くてもよい。
【０１６０】
実施形態によると、サブ領域ＳＢ１’、ＳＢ２’、ＳＢ３’、ＳＢ４’は、重畳されなくてもよい。例えば、ロゴ周辺領域ＬＧＰＡ’の中心から相対的に遠く位置するサブ領域ＳＢ１’は、相対的に近く位置するサブ領域ＳＢ２’を取り囲んでもよい。
【０１６１】
図１５と比較して、図２３の実施形態は、サブ領域ＳＢ４’をさらに含んでもよい。サブ領域ＳＢ４’は、ロゴ領域ＬＧＡ’の外郭線の内部に含まれる領域であってもよい。このとき、サブ領域ＳＢ４’は、ロゴＬＧ’と重畳しない部分を有してもよい。即ち、サブ領域ＳＢ４’を構成する画素は、ロゴＬＧ’を構成する画素と異なってもよい。
【０１６２】
図２４を参照すると、第１マッピングカーブＳＢ１＿ＣＶ’、ＳＢ２＿ＣＶ’、ＳＢ３＿ＣＶ’、ＳＢ４＿ＣＶ’が示されている。
【０１６３】
実施形態によると、第１ロゴのしきい値ＢＧｔｈ１’は、サブ領域のしきい値ＳＢ１＿ｔｈ’、ＳＢ２＿ｔｈ’、ＳＢ３＿ｔｈ’、ＳＢ４＿ｔｈ’のうち最小値ＳＢ４＿ｔｈ’より大きく、最大値ＳＢ１＿ｔｈ’より小さくてもよい。即ち、サブ領域ＳＢ４’のサブ領域のしきい値ＳＢ４＿ｔｈ’は、第１ロゴのしきい値ＢＧｔｈ１’より小さく設定されることにより、ロゴＬＧ’の相対的な輝度を上昇させながら、同じ入力階調に対する不規則な階調表現を防止することができる。
【０１６４】
実施形態によると、その後に設定される第２ロゴのしきい値ＢＧｔｈ２’は、第１ロゴのしきい値ＢＧｔｈ１’より低いが、サブ領域のしきい値ＳＢ３＿ｔｈ’及びサブ領域のしきい値ＳＢ４＿ｔｈ’の間の値を保持することもできる。
【０１６５】
以上、参照した図面と記載された発明の詳細な説明は、単に本発明の例示的なものであり、これは本発明を説明するための目的で使用されたものに過ぎず、意味を限定したり、特許請求の範囲に記載された本発明の範囲を制限するために使用されるものではない。従って、本技術分野の通常の知識を有する者であれば、そこから様々な変形及び均等な他の実施形態が可能であるというが理解できるだろう。従って、本発明の本当の技術的保護範囲は、添付の特許請求の範囲の技術的思想によって定まるべきである。
【符号の説明】
【０１６６】
１０  表示装置
１１  タイミング制御部
１２  データ駆動部
１３  走査駆動部
１４  発光駆動部
１５  画素部
１６  ロゴ制御部
【図１】
2020038339.tif 000003
【図２】
2020038339.tif 000004
【図３】
2020038339.tif 000005
【図４】
2020038339.tif 000006
【図５】
2020038339.tif 000007
【図６】
2020038339.tif 000008
【図７】
2020038339.tif 000009
【図８】
2020038339.tif 000010
【図９】
2020038339.tif 000011
【図１０】
2020038339.tif 000012
【図１１】
2020038339.tif 000013
【図１２】
2020038339.tif 000014
【図１３】
2020038339.tif 000015
【図１４】
2020038339.tif 000016
【図１５】
2020038339.tif 000017
【図１６】
2020038339.tif 000018
【図１７】
2020038339.tif 000019
【図１８】
2020038339.tif 000020
【図１９】
2020038339.tif 000021
【図２０】
2020038339.tif 000022
【図２１】
2020038339.tif 000023
【図２２】
2020038339.tif 000024
【図２３】
2020038339.tif 000025
【図２４】
2020038339.tif 000026